(57)【特許請求の範囲】
【請求項１】
空気調和機本体に熱交換器及び送風機を備え、前記空気調和機本体の吹出口に吹出空気の風向を左右に変更する複数の縦羽根を前記空気調和機本体の幅方向に並べて設け、前記縦羽根を揺動させて風向を左右方向に変更可能とした空気調和機において、
前記送風機の吹出空気を前記吹出口に案内する案内面を設け、この案内面に前記送風機の吹出方向に延びるリブを、前記空気調和機本体の幅方向に並べて複数立設し、
前記縦羽根により風向を右方向または左方向に変更させる際に、風向と反対の側に位置する一群の前記縦羽根の少なくとも一部の後端部が、その同じ側に位置する一群の前記リブを含む平面に重なる位置に達すること、
を特徴とする空気調和機。
【請求項２】
前記縦羽根により風向を右方向または左方向に変更させる際に、風向と反対の側の端に位置する前記縦羽根の後端部が、その同じ側に位置する端の前記リブを含む平面に重なる位置に達すること、
を特徴とする請求項１記載の空気調和機。
【発明の詳細な説明】
【技術分野】
【０００１】
本発明は、空気の吹出方向を左右に変更可能な空気調和機に関する。
【背景技術】
【０００２】
従来、空気調和機の一機能として、空気の吹出方向を左右に変更する機能が知られている（例えば、特許文献１参照）。また、空気調和機において、空気の吹出方向を左右に往復変化させるスイング動作も知られている。
【特許文献１】特開平９−１４５１２７号公報
【発明の開示】
【発明が解決しようとする課題】
【０００３】
従来の空気調和機は、内蔵する送風機により特定の方向に吹き出される吹出空気の向きを、縦羽根（或いは左右ルーバー）によって左右に振り向けることで、風向を所望の向きに変更できる。
しかしながら、従来の空気調和機では、送風機からの吹出空気が縦羽根の外へ漏れてしまって所望の風向に送られず、風量の損失を生じることがあるという問題があった。
そこで本発明は、送風機の吹出空気の風向を変更する際の損失を抑え、効率よく風向を変更できる空気調和機を提供することを目的とする。
【課題を解決するための手段】
【０００５】
また、上記課題を解決するため、本発明は、空気調和機本体に熱交換器及び送風機を備え、前記空気調和機本体の吹出口に吹出空気の風向を左右に変更する複数の縦羽根を前記空気調和機本体の幅方向に並べて設け、前記縦羽根を揺動させて風向を左右方向に変更可能とした空気調和機において、前記送風機の吹出空気を前記吹出口に案内する案内面を設け、この案内面に前記送風機の吹出方向に延びるリブを、前記空気調和機本体の幅方向に並べて複数立設し、前記縦羽根により風向を右方向または左方向に変更させる際に、風向と反対の側に位置する一群の前記縦羽根の少なくとも一部の後端部が、その同じ側に位置する一群の前記リブを含む平面に重なる位置に達すること、を特徴とする。
この構成によれば、送風機の吹出空気を吹出口に案内する案内面に、送風機の吹出方向に延びるリブが立設され、縦羽根により風向を右方向または左方向に変更させる際に、風向と反対の側に位置する一群の縦羽根の少なくとも一部の後端部が、その同じ側に位置する一群のリブを含む平面に重なる位置に達するので、例えば風向を右向きに変更する場合に、空気調和機本体の左側に位置する縦羽根の後端部が、同じく左側に位置するリブを含む平面に重なる。また、例えば風向を左向きに変更する場合に、空気調和機本体の右側に位置する縦羽根の後端部が、同じく右側に位置するリブを含む平面に重なる。このため、リブと縦羽根とが連なる状態となるので、リブによって整流された吹出空気が縦羽根の外側へ漏れることがなく、さらに、縦羽根によってリブによって整流された吹出空気の流れが乱れることがない。
特に、風向と反対の側に位置する一群のリブと縦羽根とが連なることによって、風の流れの外側において吹出空気の漏れを防止できるので、風量の損失を確実に抑えることができ、非常に効率よく風向を変更できるという利点がある。
【０００６】
上記構成において、前記縦羽根により風向を右方向または左方向に変更させる際に、風向と反対の側の端に位置する前記縦羽根の後端部が、その同じ側に位置する端の前記リブを含む平面に重なる位置に達する構成としてもよい。
この場合、風向と反対の側の端に位置するリブと縦羽根とが連なることによって、風の流れの外側の端において、吹出空気の漏れを防止できる。このため、風量の損失をより確実に抑えることができ、非常に効率よく風向を変更できるという利点がある。
【発明の効果】
【０００７】
本発明によれば、送風機が吹き出す空気調和された空気の風向を変更する際の損失を抑えることができ、効率よく風向を変更できる。
【発明を実施するための最良の形態】
【０００８】
以下、図面を参照しながら、本発明の一実施形態について説明する。
図１は、壁掛け型の空気調和装置の斜視図、図２はその断面図である。空気調和装置１は樹脂成形した空気調和機本体３と、空気調和機本体３の前面側に配置された樹脂成形の前面パネル５とを備え、空気調和機本体３は、図２に示すように、その内側に断面略Ｃ字状の熱交換器７と、この熱交換器７の内側に配置した送風機９とを備えている。空気調和機本体３は、前面１１及び天面１３（図３参照）に吸込口１５、１７を備えており、上記送風機９の駆動により、前面１１及び天面１３の吸込口１５、１７から吸い込んだ室内空気を、熱交換器７に通流し、ここで熱交換した空気は、空気調和機本体３の送風機９の下流に設けた吹出口１９から室内に吹き出される。
【０００９】
本実施形態では、空気調和機本体３の前面１１の吸込口１５と、上述した前面パネル５との間に、フィルタ昇降装置３１が配置されている。フィルタ昇降装置３１は、フィルタ３３を昇降するものであり、該フィルタ３３は、前面１１の吸込口１５と天面１３の吸込口１７とを同時に覆い、吸込口１５、１７から吸い込まれる室内空気中の塵埃を捕集する。図３は、前面パネル５を取り外し、フィルタ昇降装置３１を下降動作し、フィルタ３３を降下した状態を示し、図４は、フィルタ昇降装置３１そのものを示す。フィルタ昇降装置３１は、図４に示すように、１〜４段に区別された樹脂成形の昇降枠３５〜３８を備え、昇降枠３５〜３８がすべて引き出されると、図３の状態となって、フィルタ３３が降下し、昇降枠３５〜３８がすべて引き込まれると、図２の状態となって、フィルタ３３が吸込口１５、１７を覆うように格納される。
【００１０】
１段目の昇降枠３５は、図４に示すように、枠体３５Ａの内側を、左右及び上下に延出する補強用桁部３５Ｂで連結し、枠体３５Ａの両側には、断面略コ字状の一対のガイド３５Ｃを備えている。２段目の昇降枠３６は、同様に、枠体３６Ａの内側を、左右及び上下に延出する補強用桁部３６Ｂで連結し、枠体３６Ａの両側には、断面略コ字状の一対のガイド３６Ｃを備え、このガイド３６Ｃは、１段目の昇降枠３５のガイド３５Ｃ溝内に収納自在である。３段目の昇降枠３７は、枠体３７Ａの内側を、左右及び上下に延出する補強用桁部３７Ｂで連結し、枠体３７Ａの両側には、断面略コ字状の一対のガイド３７Ｃを備え、このガイド３７Ｃは、２段目の昇降枠３６のガイド３６Ｃ溝内に収納自在である。また、最終段の４段目の昇降枠３８は、枠体３８Ａの内側を、左右及び上下に延出する補強用桁部３８Ｂで連結し、枠体３８Ａの両側の端縁部３８Ｃは、３段目の昇降枠３７のガイド３７Ｃ溝内に収納自在である。
【００１１】
各昇降枠３５〜３８の中央には、縦に延びるガイド３５Ｄ〜３８Ｄが設けられ、ガイド３５Ｄ〜３８Ｄは、昇降枠３５〜３８の昇降時に、ガイド３５Ｄがガイド３６Ｄに収納され、ガイド３６Ｄがガイド３７Ｄに収納され、さらにガイド３７Ｄがガイド３８Ｄに収納されて、入れ子式に収納自在である。
【００１２】
４段目の昇降枠３８の下端には、破線で示すように、左右２分割の状態でフィルタ３３が取り付けられる。フィルタ３３は、その中段部を、４段目の昇降枠３８の上端部に設けた押さえ片３８Ｅの下側に挿入し、下端部を、４段目の昇降枠３８の下端部に設けた連結片３８Ｆに連結して支持されている。
フィルタ昇降装置３１を構成する昇降枠３５〜３８は、１段目の枠体３５Ａの両上端３５Ｆを、図３に示すように、空気調和機本体３の前面１１の両側上端に、ビス（図示略）等の留め具を介して取り付けられている。
【００１３】
また、図４に示すように、１段目の枠体３５Ａの右側に位置するガイド３５Ｃには、昇降枠３５〜３８を昇降する正逆回転可能な直流ステッピングモータにより構成されたフィルタ昇降モータ（図示略）が取り付けられている。このフィルタ昇降モータの出力軸にはベルト４１が連結され、このベルト４１は、各昇降枠３５〜３８に連結され、フィルタ昇降モータが正回転駆動されると、図３に示すように、昇降枠３５〜３８がすべて引き出されて、フィルタ３３が降下し、フィルタ昇降モータが逆回転駆動されると、図２に示すように、昇降枠３５〜３８がすべて引き込まれて、フィルタ３３が格納される。
昇降枠３５〜３８がすべて引き出された状態では、図３に示すように、１段目の枠体３５Ａの上縁が、所定位置まで低く下がって維持されており、枠体３５Ａの上縁の上方に形成される空間を通じて、電気式除塵フィルタ４０が装着される。この電気式除塵フィルタ４０は、図２に示すように、熱交換器７とフィルタ３３との間に装着され、フィルタ３３を通過した室内空気中の塵埃を捕集が可能である。
【００１４】
フィルタ３３は、上述したように４段目の昇降枠３８の下端に固定されるため、昇降枠３５〜３８が上昇し、フィルタ３３が空気調和機本体３の前面１１から天面１３に進入する過程では、フィルタ３３の上部が湾曲して前面１１から天面１３に進入する。
この空気調和機本体３の天面１３は、図２に示すように、空気調和機本体３の上部３Ａと、この上部３Ａの上に間隔δをあけて着脱自在に取り付けられる天面パネル４３とで構成され、上述したフィルタ３３の上部は湾曲して該隙間δ内に進入し、昇降枠３５〜３８がすべて引き込まれた状態（図２）では、フィルタ３３が、前面１１及び天面１３の各吸込口１５、１７を同時に覆う。
【００１５】
本実施形態では、図３に示すように、天面パネル４３の前縁部に対し、各フィルタ３３に対応して、フィルタ３３の上部の方向転換部、すなわちフィルタ３３が前面１１から天面１３に方向転換する部位に突出して、フィルタ３３の上部を前面１１から天面１３に滑らかに案内可能に、フィルタ案内部４３Ａが一体に設けられている。また図２に示すように、方向転換した後のフィルタ３３の先端部を、天面パネル４３の下面に対し滑らかに案内自在に、天面パネル４３の前後方向に延びる桁部４３Ｂの下面に、湾曲リブ４５が一体に設けられている。この構成では、フィルタ案内部４３Ａ、及び湾曲リブ４５の協働によって、フィルタ３３の上部が、空気調和機本体３の前面１１から天面１３に対し、滑らかに案内されて進入が可能となる。
【００１６】
上記前面パネル５は、図２に示すように、空気調和装置１の不作動状態において、フィルタ昇降装置３１を完全に覆うように、空気調和機本体３の前面１１に隙間無く閉じている。そして、空気調和装置１を作動する段階、或いはフィルタ昇降装置３１を作動し、昇降枠３５〜３８を降下する段階には、図５及び図６に示すように、リンク機構４６を介して、前面パネル５が前方に押し出され、空気吸い込みのための隙間確保、或いは昇降枠３５〜３８の降下のための隙間が確保される。
【００１７】
また、図２に示すように、上記吹出口１９は、案内面としてのスクロール部２１と舌部２２とで囲まれており、スクロール部２１の出口側には風向変更用の複数の縦羽根２３、２６が配置され、各々の縦羽根２３、２６は後述するようにスクロール部２１の裏側でリンク部材２４により連結されている。２７は、縦羽根２３、２６を支持すべくスクロール部２１または空気調和機本体３を構成するフレームに、回動可能に取り付けられた台座である。縦羽根２３、２６は支持台２７を介して、空気調和機本体３に回動可能に固定されており、リンク部材２４に連結された縦羽根駆動モータ（図示略）の動作によって、支持台２７を支点として空気調和機本体３の幅方向に揺動する。
【００１８】
２５は水平フラップであり、フラップ駆動モータ（図示略）に連結されている。該フラップ２５の回動姿勢によって吹出口１９を開閉し、かつ運転条件に応じて、当該吹出口１９から吹き出される空気の吹出方向を上下方向に設定可能であり、複数の縦羽根２３は、運転条件に応じて、当該吹出口１９から吹き出される空気の吹出方向を左右方向に設定可能である。
さらに、スクロール部２１には、送風機９の吹出空気を吹出口１９に向けて整流するリブ２８、２９が立設される。リブ２８、２９の基端部は送風機９の吹出口近傍に達し、その先端は縦羽根２３、２６の後端部２３Ａ、２６Ａの近傍まで達している。
【００１９】
図７〜図９は、縦羽根の構成を示す図であり、前面パネル５、フィルタ昇降装置３１、フィルタ３３、熱交換器７等を除いた状態の正面図である。図７は、特に正面方向への送風状態を示し、図８は右方向への送風状態を示し、図９は左方向への送風状態を示す。
【００２０】
図７に示すように、スクロール部２１には空気調和機本体３の幅方向に並ぶ複数のリブ２８、２９が形成されている。このうち、空気調和機本体３の右側（図中左側）に位置する一群のリブをリブ２８とし、空気調和機本体３の左側（図中右側）に位置する一群のリブをリブ２９とする。本実施形態では、３本のリブ２８と３本のリブ２９とが設けられている。
リブ２８、２９は、いずれも平行に、図中に矢印Ａで示す送風機９の吹出空気の吹出方向に沿って、ほぼ真っ直ぐに縦羽根２３、２６に向かって延びるよう立設されている。このため、送風機９の吹出空気は縦羽根２３、２６に向けて整流されて、図中矢印Ａで示す向きにほぼ直進する。
【００２１】
そして、リブ２８、２９の先端より先には、縦羽根２３、２６が並べて配設されている。ここで、空気調和機本体３の右側に配設された一群の縦羽根を縦羽根２３とし、空気調和機本体３の左側に配設された一群の縦羽根を縦羽根２６とする。
各々の縦羽根２３、２６は、上述のように空気調和機本体３に回動可能に取り付けられた支持台２７によって支持され、５枚の縦羽根２３の後端部２３Ａは、それぞれ、空気調和機本体３の幅方向に延びる１本のリンク部材２４に連結される。リンク部材２４は縦羽根駆動モータ（図示略）の動作によって空気調和機本体３の幅方向に所定範囲で往復動作する。このリンク部材２４の動作に従って、縦羽根２３は、支持台２７を中心として、互いに平行な状態を保ちながら回動する。
【００２２】
また、５枚の縦羽根２６の後端部２６Ａは、縦羽根２３と同様に、それぞれ１本のリンク部材２４に連結される。ここで、縦羽根２３が連結されるリンク部材２４と、縦羽根２６が連結されるリンク部材２４とは別体である。このリンク部材２４も縦羽根駆動モータ（図示略）の動作によって空気調和機本体３の幅方向に所定範囲で往復動作するので、リンク部材２４の動作に従って、縦羽根２６は、支持台２７を中心として、互いに平行な状態を保ちながら回動する。
縦羽根２３、２６に各々連結された２本のリンク部材２４の動作範囲は、これらリンク部材２４を空気調和機本体３に保持する保持機構（図示略）の動作範囲、或いは、支持台２７の回転可能な範囲として規制される。つまり、縦羽根駆動モータ（図示略）によって縦羽根２３、２６を回動させることが可能な範囲は制限されており、例えば、図７に示す状態から左右それぞれ９０°（Degree）未満である。
【００２３】
図７に示す状態では、縦羽根２３、２６はリブ２８、２９とほぼ平行であるため、送風機９の吹出空気は、図中矢印Ｂで示すように、空気調和機本体３の正面へ向けて送風される。
ここで、縦羽根２３、２６により送風機９の吹出空気の風向を右に変更する場合、図８に示すように、縦羽根駆動モータ（図示略）の動作によってリンク部材２４が空気調和機本体３の左側（図中右側）に移動され、縦羽根２３、２６の先端が空気調和機本体３の右側を向く。図８に示す状態は、リンク部材２４を最大限に右側に移動させた状態である。
このとき、送風機９の吹出空気は図中矢印Ｃで示すように、空気調和機本体３から右側へ向けて送風される。
【００２４】
この図８に示す状態で、空気調和機本体３の左側に配置されたリブ２９を含む平面（図８中の破線）には、縦羽根２６の後端部２６Ａが重なっている。この構成では、リブ２９と縦羽根２６とが連続する整流壁として機能し、リブ２９により整流された送風機９の吹出空気が、乱れることなく縦羽根２６によって矢印Ｃの方向に案内される。従って、気流の乱れによる損失を抑制できる。
【００２５】
また、空気調和機本体３の左端の縦羽根２６の後端部２６Ａが、左端に位置するリブ２９の先端の先をたどった線上にあるため、送風機９の吹出空気が後端部２６Ａよりも左側に漏れることがない。吹出空気の風向を右方向に変更する場合、空気調和機本体３の左側でリブ２９によって整流された吹出空気は外側の流れとなるので、後端部２６Ａよりも外側（左側）に漏れた気流は矢印Ｃの向きから外れ、この漏れの分は風量の損失となる。このため、リブ２９を含む平面に後端部２６Ａが重なる構成とすることで、リブ２９で整流された吹出空気が殆ど漏れなく縦羽根２６の内側へ流れるので、風量の損失を効果的に抑えることができ、顕著な効率向上が期待できる。
【００２６】
ここで、図８の状態では、空気調和機本体３の右側に配されたリブ２８を含む平面と、縦羽根２３の後端部２３Ａとは重なっていないが、吹出空気の風向を右方向に変更する場合には、リブ２８が整流した吹出空気は内側の気流となるので、後端部２３Ａよりも外側（右側）に漏れたとしても、縦羽根２３により案内された外側の気流に巻き込まれて、ともに矢印Ｃの方向へ向かう。つまり、空気調和機本体３の右側では吹出空気が漏れても風量の損失につながらない。従って、図８に示すようにリブ２８を含む平面と後端部２３Ａとが重なっていなくても、リブ２９を含む平面と後端部２６Ａとが重なる構成とするだけで、十分に顕著な効果が期待できる。
但し、図８の状態で、空気調和機本体３の右側に位置するリブ２８を含む平面に後端部２３Ａが重なる構成としても勿論支障はなく、この場合には、上記の効果に加えて、リブ２８により整流された吹出空気が後端部２３Ａによって乱されることなく右側に案内されるため、気流の乱れによる損失を抑えられるという利点がある。
縦羽根２６、２３により送風機９の吹出空気の風向を左に変更する場合、図９に示すように、縦羽根駆動モータ（図示略）の動作によってリンク部材２４が空気調和機本体３の右側（図中左側）に移動され、縦羽根２６、２３の先端が空気調和機本体３の左側を向く。図９に示す状態は、リンク部材２４を最大限に左側に移動させた状態である。送風機９の吹出空気は図中矢印Ｄで示すように、空気調和機本体３から左側へ向けて送風される。
【００２７】
この図９に示す状態で、空気調和機本体３の右側に配置されたリブ２８を含む平面（図９中の破線）には、縦羽根２３の後端部２３Ａが重なっている。この構成では、リブ２８と縦羽根２３とが連続する整流壁として機能し、リブ２８により整流された送風機９の吹出空気が、乱れることなく縦羽根２３によって矢印Ｄの方向に案内される。従って、気流の乱れによる損失を抑えられる。
【００２８】
また、空気調和機本体３の右端の縦羽根２３の後端部２３Ａが、右端に位置するリブ２８の先端の先をたどった線上にあるため、送風機９の吹出空気が後端部２３Ａよりも右側に漏れることがない。吹出空気の風向を左方向に変更する場合、空気調和機本体３の右側でリブ２８によって整流された吹出空気は外側の流れとなるので、後端部２３Ａよりも外側（右側）に漏れた気流は矢印Ｄの向きから外れ、この漏れの分が風量の損失となる。このため、リブ２８を含む平面に後端部２３Ａが重なる構成とすれば、リブ２８で整流された吹出空気が殆ど漏れなく縦羽根２３の内側へ流れるので、風量の損失を効果的に抑えることができ、顕著な効率向上が期待できる。
【００２９】
ここで、図９の状態では、空気調和機本体３の左側に配されたリブ２９を含む平面と、縦羽根２６の後端部２６Ａとは重なっていないが、吹出空気の風向を左方向に変更する場合には、リブ２９が整流した吹出空気は内側の気流となるので、後端部２６Ａよりも外側（左側）に漏れたとしても、縦羽根２６により案内された外側の気流に巻き込まれて、ともに矢印Ｄの方向へ向かう。つまり、空気調和機本体３の左側では吹出空気が漏れても風量の損失につながらない。従って、図９に示すようにリブ２９を含む平面と後端部２６Ａとが重なっていなくても、リブ２８を含む平面と後端部２３Ａとが重なる構成とするだけで、十分に顕著な効果が期待できる。
但し、図９の状態で、空気調和機本体３の左側に位置するリブ２９を含む平面に後端部２６Ａが重なる構成としても勿論支障はなく、この場合には、上記の効果に加えて、リブ２９により整流された吹出空気が後端部２６Ａによって乱されることなく左側に案内されるため、気流の乱れによる損失を抑えられるという効果がある。
【００３０】
以上のように、本発明を適用した実施形態の空気調和装置１では、送風機９の吹出空気を吹出口１９に案内するスクロール部２１に、送風機９の吹出方向に延びるリブ２８、２９が立設され、縦羽根２３、２６により風向を右方向または左方向に変更させる際に、少なくとも一部の縦羽根２３、２６の後端部２３Ａ、２６Ａが、リブ２８、２９を含む平面に重なる位置に達する構成となっているので、少なくとも一部の縦羽根２３、２６の後端部２３Ａ、２６Ａがリブ２８、２９に連なる状態となる。これにより、リブ２８、２９によって整流された吹出空気が、リブ２８、２９に連なる縦羽根２３、２６から外側へ漏れることがなく、さらに、縦羽根２３、２６によってリブ２８、２９によって整流された吹出空気の流れが乱れることがない。このため、吹出空気の風向を縦羽根２３、２６によって変更する際の損失を抑えることができ、効率よく風向を変更できる。
【００３１】
また、縦羽根２３、２６により風向を右方向または左方向に変更させる際に、風向と反対の側に位置する一群の縦羽根２３、２６の少なくとも一部の後端部２３Ａ、２６Ａが、その同じ側に位置する一群のリブ２８、２９を含む平面に重なる位置に達するので、例えば風向を右向きに変更する場合に、空気調和機本体の左側に位置する縦羽根２６の後端部、２６Ａが、同じく左側に位置するリブ２９を含む平面に重なる。また、例えば風向を左向きに変更する場合に、空気調和機本体の右側に位置する縦羽根２３の後端部２３Ａが、同じく右側に位置するリブ２８を含む平面に重なる。
これにより、風向とは反対側のリブ２８、２９に、縦羽根２３、２６のいずれかが連なる状態となるので、リブ２８、２９によって整流された吹出空気が縦羽根２３、２６の外側へ漏れることがなく、さらに、縦羽根２３、２６によってリブ２８、２９によって整流された吹出空気の流れが乱れることがない。特に、風の流れの外側において吹出空気の漏れを防止できるので、風量の損失を確実に抑えることができ、非常に効率よく風向を変更できるという利点がある。
【００３２】
さらに、空気調和機本体３においては、風向と反対の側の端に位置する縦羽根２３、２６の後端部２３Ａ、２６Ａが、その同じ側に位置する端のリブ２８、２９を含む平面に重なる位置に達する構成となっている。すなわち、図８に示すように風向を右向きに変更する場合、左端のリブ２９には左端の縦羽根２６の後端部２６Ａが連なっている。また、図９に示すように風向を左向きに変更する場合、右端のリブ２８には右端の縦羽根２３の後端部２３Ａが連なる。このため、風の流れの外側への吹出空気の漏れを防止できるので、風量の損失をより確実に抑えることができ、非常に効率よく風向を変更できるという利点がある。
【００３３】
なお、上記実施形態においては、リブ２８、２９自体と縦羽根２３、２６が重ならず、リブ２８、２９を延長した面に縦羽根２３の後端部２３Ａまたは縦羽根２６の後端部２６Ａが重なるものとして説明したが、本発明はこれに限定されるものではなく、例えば、リブ２８、２９の先端が縦羽根２３、２６と重なるようにフラップ２５の近傍まで延びた構成として、右方向または左方向に風向を変更させる状態で、後端部２３Ａ、２６Ａの位置がリブ２８、２９自体と重なる構成としてもよい。この場合、後端部２３Ａ、２６Ａがリブ２８、２９に衝突しないよう、後端部２３Ａ、２６Ａの形状や高さ位置を適宜調整するとよい。
この場合も、リブ２８、２９により整流された吹出空気の流れが乱されることなく縦羽根２３、２６により案内され、損失を抑制できるという効果が得られる。
【００３４】
上記実施形態では、縦羽根駆動モータ（図示略）によりリンク部材２４を移動させる範囲が、リンク部材２４の保持機構（図示略）の動作範囲、或いは、支持台２７の回転可能な範囲として規制されるものとして説明したが、本発明はこれに限定されるものではなく、縦羽根駆動モータ（図示略）の動作を制御する制御部により、リンク部材２４の移動量を検出し、所定の範囲を超えた縦羽根駆動モータ（図示略）の動作を制限してもよい。
【００３５】
また、上記実施形態では、送風機９の吹出空気が吹出口１９に向かって流れる流路の奥側の面および底面を構成するスクロール部２１に、リブ２８、２９を設けた構成を挙げて説明したが、本発明はこれに限定されるものではなく、例えば、送風機９の吹出空気を吹出口１９へ案内する上側の舌部２２にリブ２８、２９を設けてもよい。つまり、送風機９の吹出空気が、送風機９から吹出口１９に達する空間を通って案内される場合に、この空間を構成する壁であれば、どの壁に整流用のリブ（リブ２８、２９に相当）を設けるかは任意であるし、リブを設ける位置も本発明の趣旨を損なわない範囲で任意に変更可能である。
【００３６】
さらに、上記実施形態においては、図２等に示すように、送風機９の吹出空気が吹出口１９から斜め下方に吹き出され、この吹出空気の風向をフラップ２５によって上下方向に変更するとともに、縦羽根２３によって左右に変更する場合について説明したが、本発明はこれに限定されるものではなく、スクロール部２１や吹出口１９が、送風機９の吹出空気を水平方向や直下に向けて吹き出すように構成されていてもよいし、この吹出空気の風向を、１または複数枚のルーバーにより上下に変更する構成としてもよい。また、送風機９や縦羽根２３、２６の平面形状等を含む空気調和装置１の具体的な細部構成については、任意に変更可能である。
【００３７】
また、上記実施形態においては、壁掛け型の空気調和装置としての空気調和装置１に本発明を適用した例について説明したが、本発明はこれに限らず、天井埋込型空気調和装置や、天井吊下型空気調和装置にも適用可能である。
【図面の簡単な説明】
【００３８】
【図１】本発明の実施形態に係る壁掛け型の空気調和装置の斜視図である。
【図２】空気調和装置の断面図である。
【図３】前面パネルを取り外し、フィルタ昇降装置を下降動作し、フィルタを降下した状態を示す図である。
【図４】フィルタ昇降装置の構成を示す図である。
【図５】フィルタ昇降装置の作動により昇降枠が降下し始めた段階を示す図である。
【図６】フィルタ昇降装置の作動により昇降枠が降下しきった段階を示す図である。
【図７】縦羽根の構成および正面方向への送風状態を示す図である。
【図８】縦羽根の構成および右方向への送風状態を示す図である。
【図９】縦羽根の構成および左方向への送風状態を示す図である。
【符号の説明】
【００３９】
１  空気調和装置（空気調和機）
３  空気調和機本体
５  前面パネル
７  熱交換器
９  送風機
１１  前面
１３  天面
１５、１７  吸込口
１９  吹出口
２１  スクロール部（案内面）
２２  舌部
２３、２６  縦羽根
２３Ａ、２６Ａ  後端部
２４  リンク部材
２５  フラップ
２７  支持台
２８、２９  リブ
３１  フィルタ昇降装置
３３  フィルタ
３５、３６、３７、３８  昇降枠
３９  フィルタ昇降モータ
４０  電気式除塵フィルタ
４１  ベルト
４３  天面パネル
４５  湾曲リブ
４６  リンク機構
【図１】
0005091605.tif 000002
【図２】
0005091605.tif 000003
【図３】
0005091605.tif 000004
【図４】
0005091605.tif 000005
【図５】
0005091605.tif 000006
【図６】
0005091605.tif 000007
【図７】
0005091605.tif 000008
【図８】
0005091605.tif 000009
【図９】
0005091605.tif 000010